【事件の表示】
　特許第５４５１８４６号に関する訂正審判事件について、次のとおり審決する。
【結　論】
　特許第５４５１８４６号に係る明細書及び特許請求の範囲を本件審判請求書に添付された訂正明細書及び特許請求の範囲のとおり訂正することを認める。
【理　由】
１　手続の経緯 
　本件訂正審判の請求に係る特許第５４５１８４６号（以下「本件特許」という。）は、平成１９年１１月６日に出願された特願２００７−２８８６６４号の一部が平成２２年５月１９日に特願２０１０−１１５５９２号として新たに出願され、その一部が平成２４年２月３日に特願２０１２−２１５４６号として新たに出願され、さらに、その一部が平成２４年９月２８日に新たに出願されたものであって、その請求項１に係る発明は、平成２６年１月１０日に特許権の設定登録がなされ、平成２６年６月２日に本件訂正審判の請求がなされたものである。 
 　 
２　審判請求の趣旨及び訂正の内容 
　本件審判請求は、本件特許の願書に添付した明細書（以下「本件特許明細書」という。）及び特許請求の範囲を、本件審判請求書に添付された訂正明細書及び特許請求の範囲のとおり訂正することを認める、との審決を求めるものである（下線部は訂正箇所を意味する。）。 
 　 
　その訂正内容は、次のとおりである。 
（１）訂正事項１
　本件特許請求の範囲の請求項１における
「受信した前記制御情報に基づいて演出の制御を行う演出制御手段と、
　前記遊技制御手段は、」
との記載を
「受信した前記制御情報に基づいて演出の制御を行う演出制御手段と、
　
を備え、
　前記遊技制御手段は、」
に訂正する。
　
（２）訂正事項２
　本件特許明細書の段落【０００８】における
「前記演出制御手段（サブ制御部９１）は、前記受信した制御情報（コマンド）に応じて演出を実行する演出実行制御手段を含み、
　前記遊技制御手段（メイン制御部４１）は、前記有効期間中であるか否かに関わらず、前記操作手段（１枚ＢＥＴスイッチ５、ＭＡＸＢＥＴスイッチ６、スタートスイッチ７、ストップスイッチ８Ｌ、８Ｃ、８Ｒ、精算スイッチ１０）の操作が受け付けられる毎に、該操作手段の操作がなされた旨を示す操作制御情報（操作検出コマンド）を前記制御情報　（コマンド）として前記演出制御手段（サブ制御部９１）に対して送信する操作制御情報送信手段を含む」
との記載を
「
前記遊技制御手段は、前記操作手段の操作状態を示す操作制御情報を前記制御情報として前記演出制御手段に対して送信する操作制御情報送信手段を含み、
　
前記演出制御手段は、
　
前記操作制御情報を第１の時期に受信した後、予め定められた期間にわたり該第１の時期に受信した操作制御情報が示す前記操作手段の操作状態と異なる操作状態を示す前記操作制御情報を受信しない場合に前記第１の時期に受信した操作制御情報が示す前記操作手段の操作状態を第１の確定検出状態とし、該第１の時期よりも前の第２の時期に操作制御情報を受信した後、前記予め定められた期間にわたり該第２の時期に受信した操作制御情報が示す前記操作手段の操作状態と異なる操作状態を示す前記操作制御情報を受信しない場合に前記第２の時期に受信した操作制御情報が示す前記操作手段の操作状態を第２の確定検出状態とし、前記第１の確定検出状態が示す操作状態を前記第２の確定検出状態が示す操作状態と比較して変化している場合に、前記操作手段の操作状態の変化を判定する操作状態変化判定手段と、
　
前記所定の有効期間以外の期間であって特定条件を満たしたときに、前記操作状態変化判定手段の判定結果に応じて演出を実行する演出実行制制手段と、
　を含む」
に訂正する。
　
（３）訂正事項３
　本件特許明細書の段落【０００９】における
「本発明の請求項２に記載めスロットマシンは、請求項１に記載のスロットマシンであって、」
との記載を
「本発明の
手段１
トマシンであって、」
に訂正する。
　
（４）訂正事項４
　本件特許明細書の段落【００１０】における
「本発明の請求項３に記載のスロットマシンは、請求項１または２に記載のスロットマシンであって、」
との記載を
「本発明の
手段２
手段１
に訂正する。
　
（５）訂正事項５
　本件特許明細書の段落【００１１】における
「本発明の請求項４に記載のスロットマシンは、請求項１〜３のいずれかに記載のスロットマシンであって、」
との記載を
「本発明の
手段３
、手段１、手段２
に訂正する。
　
（６）訂正事項６
　本件特許明細書の段落【００１２】における
「本発明の請求項５に記載のスロットマシンは、請求項１〜４のいずれかに記載のスロットマシンであって、」
との記載を
「本発明の
手段４
、手段１〜３
に訂正する。
　
（７）訂正事項７
　本件特許明細書の段落【００１３】における
「本発明の請求項６に記載のスロットマシンは、請求項１〜５のいずれかに記載のスロットマシンであって、」
との記載を
「本発明の
手段５
、手段１〜４
に訂正する。
 　 
（８）訂正事項８ 
　本件特許明細書の段落【００２３】における 
「液晶表示器５１の表示領域を挟んで、」 
との記載を 
「液晶表示器５１の表示
面
に訂正する。 
 　 
（９）訂正事項９ 
　本件特許明細書の段落【００４２】における 
「リプレイ中ＬＥＤ１０」 
との記載を 
「リプレイ中ＬＥＤ
２
に訂正する。 
　
（１０）訂正事項１０ 
　本件特許明細書の段落【００５０】における 
「受光装置５６ｂ」 
との記載を 
「受光装置５
７ａ
に訂正する。 
 　 
（１１）訂正事項１１ 
　本件特許明細書の段落【００５７】における 
「各中継基板１１０、１２０、１００、８０」 
との記載を 
「
各基板
１
に訂正する。 
 　 
（１２）訂正事項１２ 
　本件特許明細書の段落【００６６】における 
「第１の電子部品５、６、７、８、３１、３３Ｌ、３３Ｃ、３３Ｒ、３５」との記載を 
「第１の電子部品５、６、７、８
Ｌ、８Ｃ、８Ｒ
４ｃ
に訂正する。 
 　 
（１３）訂正事項１３ 
　本件特許明細書の段落【００６６】における 
「第２の電子部品３２Ｌ、３２Ｃ、３２Ｒ、３４」 
との記載を 
「第２の電子部品３２Ｌ、３２Ｃ、３２Ｒ、３４
ｂ
に訂正する。 
 　 
（１４）訂正事項１４ 
　本件特許明細書の段落【００６６】における 
「遊技を自動的にゲームを進行させる」 
との記載を 
「遊技を自動的
に進
に訂正する。 
 　 
 （１５）訂正事項１５ 
　本件特許明細書の段落【０１７４】における 
「未だ設定されたおらず」 
との記載を
「未だ設定され
て
に訂正する。 
　　 
（１６）訂正事項１６ 
　本件特許明細書の段落【０２８４】、【０２８５】、【０２８６】における 
「動作チェックを検査を正常に行うことができる」 
との記載を 
「動作チェック
の
に訂正する。 
 　 
 ３　当審の判断 
（１）訂正事項１について
　本件特許明細書の段落【０００８】にも記載されているように、スロットマシンにおいて、「操作手段」と「操作受付手段」と「遊技制御手段」と「演出制御手段」とを備えていることは明らかであるとともに、訂正前の請求項１は、これらの「手段」を備えているとの記載を欠いていたために不明瞭な記載となっていた。
　したがって、訂正事項１は、訂正前の請求項１の不明瞭な記載を、「演出制御手段と、」の後に「
を備え、
 　 
（２）訂正事項２について 
　訂正事項２は本件特許明細書の段落【０００８】の記載を、訂正後の請求項１の記載に整合させるための訂正であるから、特許法第１２６条第１項ただし書第３号に規定する明瞭でない記載の釈明を目的とするものである。
 　 
（３）訂正事項３〜７について 
　訂正事項３〜７は、本件特許の特許請求の範囲には【請求項１】のみ記載されていることから、本件特許明細書の段落【０００９】〜【００１３】に記載された「請求項２〜６」との記載を「手段１〜５」として、訂正後の特許請求の範囲の記載と段落【０００９】〜【００１３】の記載を整合させるための訂正であるから、特許法第１２６条第１項ただし書第３号に規定する明瞭でない記載の釈明を目的とするものである。
　
（４）訂正事項８について 
　本件特許明細書の段落【００２３】には、「同様に、発光装置５６ｂと受光装置５７ｂとは、液晶表示器５１の表示
領域
面
領域
面
領域
面
　しかしながら、本件特許明細書の段落【００２２】には、「液晶表示器５１の前面側（図１においては手前側）には、表示
面
面
　したがって、訂正事項３は、訂正前の本件特許明細書の段落【００２３】の「液晶表示器５１の表示領域を挟んで、」という不明瞭な記載を、上記記載Ｂ〜Ｃ、図１に基づいて、「液晶表示器５１の表示
面
 　 
（５）訂正事項９〜１１、１４〜１６について 
　訂正事項９〜１１は、その記載を他の箇所の記載に整合させるために行うものであり、また、訂正事項１４〜１６は、その記載自体に含まれる日本語として不明瞭な記載を適正な表現に直すために行うものであるから、明瞭でない記載の釈明を目的とするものである。  
　
（６）訂正事項１２及び１３について 
　訂正事項１２及び１３は関連するので、まとめて検討する。 
　本件特許明細書の段落【００６６】には、「ゲームの進行に応じて遊技制御基板４０に対して信号を入力する第１の電子部品」、及び、「ゲームの進行に応じて遊技制御基板４０から信号が出力される第２の電子部品」について、 
「また、本実施例では、
ゲームの進行に応じて遊技制御基板４０に対して信号を入力する第１の電子部品
８
３５
ゲームの進行に応じて遊技制御基板４０から信号が出力される第２の電子部品
３４
　本記載Ｄより前の本件特許明細書の段落【００５８】及び【００５９】には、
「ゲームの進行に応じて遊技制御基板４０に信号を出力する第１の電子部品」（「
ゲームの進行に応じて遊技制御基板４０に対して信号を入力する第１の電子部品
ゲームの進行に応じて遊技制御基板４０から信号が出力される第２の電子部品
「【００５８】
１枚ＢＥＴスイッチ５、ＭＡＸＢＥＴスイッチ６、スタートスイッチ７、
ストップスイッチ８Ｌ、８Ｃ、８Ｒ
ホッパーモータ３４ｂ
払出センサ３４ｃ
リール２Ｌ、２Ｃ、２Ｒの表示結果を導出させるための操作等、ゲームの進行操作に応じて遊技制御基板４０に出力される信号
払出メダルの検出等、ゲームの進行に応じて遊技用電子部品から出力されて遊技制御基板４０に入力される信号
入賞の発生に伴いメダルを払い出すホッパーを駆動するための駆動信号等、ゲームの進行に応じて遊技制御基板４０から出力されて遊技用電子部品に入力される信号
「【００５９】
　そして、これら遊技用電子部品は、
ゲームの進行に応じて遊技制御基板４０に信号を出力する第１の電子部品
ゲームの進行に応じて遊技制御基板４０からの信号が入力される第２の電子部品
　上記記載Ｄの第１の電子部品
８、３５
３４
　しかしながら、本件特許明細書において、「第１の電子部品」、「第２の電子部品」という記載は、本件特許明細書の段落【００５９】、【００６６】のみにしかなく、また、本件特許明細書には、
８
３４
３５
　そして、上記記載Ｅの「
ストップスイッチ８Ｌ、８Ｃ、８Ｒ
リール２Ｌ、２Ｃ、２Ｒの表示結果を導出させるための操作等、ゲームの進行操作に応じて遊技制御基板４０に出力される信号
ストップスイッチ８Ｌ、８Ｃ、８Ｒ
払出センサ３４ｃ
払出メダルの検出等、ゲームの進行に応じて遊技用電子部品から出力されて遊技制御基板４０に入力される信号
払出センサ３４ｃ
ホッパーモータ３４ｂ
入賞の発生に伴いメダルを払い出すホッパーを駆動するための駆動信号等、ゲームの進行に応じて遊技制御基板４０から出力されて遊技用電子部品に入力される信号
ホッパーモータ３４ｂ
　したがって、訂正事項１２及び１３は、訂正前の本件特許明細書の段落【００６８】の 
 「第１の電子部品５、６、７、８、３１、３３Ｌ、３３Ｃ、３３Ｒ、３５」及び「第２の電子部品３２Ｌ、３２Ｃ、３２Ｒ、３４」 
という記載を、上記記載Ｅ及びＦに基づいて、それぞれ、 
「第１の電子部品５、６、７、
８Ｌ、８Ｃ、８Ｒ
３４ｃ
ｂ
と訂正するものであるから、特許法第１２６条第１項ただし書第３号に掲げる、明瞭でない記載の釈明に該当する。 
 　 
（７）特許法第１２６条第５項に規定する要件について 
　当該訂正事項１〜１６は、上記（１）〜（６）において検討したように、本件特許明細書、特許請求の範囲又は図面（以下「本件特許明細書等」という。）に記載した事項の範囲内のものである。 
　したがって、訂正事項１〜１６は、本件特許明細書等に記載した事項又は記載した事項から自明な事項であり、本件特許明細書等に記載した事項の全ての記載を総合することにより導かれる技術的事項との関係において新たな技術的事項を導入しないものであるから、訂正事項１〜１６は、本件特許明細書等に記載した事項の範囲内においてするものであり、特許法第１２６条第５項の規定に適合する。 
 　 
（８）特許法第１２６条第６項に規定する要件について 
　当該訂正事項１〜１６は、実質上特許請求の範囲を拡張し又は変更するものではないから、特許法第１２６条第６項の規定に適合する。 
 　 
５　むすび  
　したがって、本件審判の請求は、特許法第１２６条第１項ただし書第３号に掲げる事項を目的とし、かつ、同条第５及び６項の規定に適合する。 
 　 
　よって、結論のとおり審決する。